(57)【要約】安全な資産記憶と移送システム。第１のディスプレイは移送される資産価値量を含む要求メッセージをコード化する最初のバーコードを表示する。第１のカメラ付き装置は、第１のバーコードを読み取り、要求メッセージを回復するために第１のバーコードをデコードし、第１のカメラ付き装置と対応した第１の記憶媒体から移送された資産価値量を移送するために価値移送メッセージを生成し、対応する第２のバーコードを生成するために価値移送メッセージをコード化し、第２のディスプレイに第２のバーコードを表示するように形成される。第２のカメラ付き装置は、第２のバーコードを読み取り、価値移送メッセージを回復するために第２バーコードをデコードするように形成される。【選択図】図４
2015514249.tif 000002
【特許請求の範囲】
【請求項１】
資産価値を安全に記憶し移送する第１と第２の記憶媒体を含む安全な資産記憶と移送システムにおいて、前記第１の記憶媒体から前記第２の記憶媒体へ資産価値を安全に交換することを可能にする方法であって、
選択された資産価値量を移送するための価値移送メッセージを生成するために前記第１の記憶媒体を制御するステップと、
対応するバーコードを生成するためにバーコード符号化スキームを使用して前記価値移送メッセージを符号化するステップと、
ディスプレイに前記バーコードを表示するステップと、
前記ディスプレイから前記バーコードを読み取るステップと、
前記価値移送メッセージを回復するために前記読み取れたバーコードをデコードするステップと、
前記回復した価値移送メッセージを受信するために前記第２の記憶媒体を制御するステップと、を含む、
方法。
【請求項２】
前記バーコードはクイックレスポンス（ＱＲ）バーコードである、
請求項１に記載の方法。
【請求項３】
移送される資産価値量を含む要求メッセージを生成するステップと、
対応する要求バーコードを生成するためにバーコード符号化スキームを使用して前記要求メッセージを符号化するステップと、
前記バーコードがカメラ付き装置によって読み取ることができるように前記要求バーコードを表示するステップと、をさらに含む、
請求項１に記載の方法。
【請求項４】
前記要求バーコードを表示するステップは、前記要求バーコードを電子表示スクリーン上に表示するステップを含む、
請求項３に記載の方法。
【請求項５】
前記要求バーコードを表示するステップは、前記要求バーコードを静的なディスプレイ上に表示するステップを含む、
請求項３に記載の方法。
【請求項６】
移送される資産価値量を含む要求メッセージを符号化する第１のバーコードを表示する第１のディスプレイと、
第１のカメラ付き装置であって、
前記第１のバーコードを読み取り、
前記要求メッセージを回復するために前記第１のバーコードをデコードし、
前記第１のカメラ付き装置と関連した記憶媒体から移送される資産価値量を移送するために価値移送メッセージを生成し、
対応する第２のバーコードを生成するために前記価値移送メッセージを符号化し、
第２のディスプレイに前記第２のバーコードを表示する、前記第１のカメラ付き装置と、
第２のカメラ付き装置であって、
前記第２のバーコードを読み取り、
前記価値移送メッセージを回復するために前記第２のバーコードをデコードする、前記第２のカメラ付き装置と、
を含む、
システム。
【請求項７】
前記第１のバーコードはクイックレスポンス（ＱＲ）バーコードである、
請求項６に記載のシステム。
【請求項８】
前記第１のディスプレイは、静的なディスプレイ及び電子表示スクリーンの任意の１つまたは複数である、
請求項６に記載のシステム。
【請求項９】
前記第２のカメラ付き装置は、前記第１のディスプレイを含む、
請求項６に記載のシステム。
【請求項１０】
前記第１のディスプレイは、前記第２のディスプレイから遠い、
請求項６に記載のシステム。
【請求項１１】
前記第１のディスプレイは、モバイル装置である、
請求項６に記載のシステム。
【請求項１２】
前記第２のディスプレイは、モバイル装置である、
請求項６に記載のシステム。
【請求項１３】
前記第２のカメラ付き装置は、ポイント・オブ・セールス（ＰＯＳ端末）である、
請求項６に記載のシステム。
【発明の詳細な説明】
【技術分野】
【０００１】
本発明は、システム内の参加者によって保持された店の間で安全な資産移動による支払いをするためのシステムに関し、特に、資産記憶と移送システムにおいてバーコードを使用した方法とシステムに関する。
【背景技術】
【０００２】
図１を参照すると、出願人のＰＣＴ特許公報番号ＷＯ２０１１／０３２２５７およびＷＯ２０１１／０３２２７１、この両方の出版物の全内容は参照によってこれによってここに組入れられるが、に従って、資産記憶と移送システム２は、通信媒体６を通ってメッセージを交換するように構成される、少なくとも２つの記憶媒体（ｓｔｏｒａｇｅ  ｍｅｄｉａ）４を含む。各記憶媒体４は、入出力（Ｉ／Ｏ）インターフェース８と、コントローラ１０と、メモリ１２と、を含む。Ｉ／Ｏインターフェース８は、記憶媒体４を、通信媒体６を通ってメッセージを送信および受信できるようにする。コントローラ１０は、記憶媒体４へ内容の移送を記録し、記憶媒体４から内容を移送するために、受信したメッセージに応答する。メモリ１２は、記憶媒体４の一意（ユニーク）なそれぞれの識別子１４と、秘密鍵１６と、記憶媒体４に一意に割り当てられた証明書（ｃｅｒｔｉｆｉｃａｔｅ）１８と、記憶媒体４へまたは記憶媒体４から移送する内容のログ２０と、記憶媒体の通貨価値（Ｃｕｒ．Ｖａｌ）２２と、を記憶する。
【０００３】
秘密鍵１６および証明書１８は、例えば、良く知られた公開鍵インフラストラクチャ（ＰＫＩ）技術を使用する、暗号化およびデジタル署名機能の機能的な使用を容易にする。この目的のために、秘密鍵１６および証明書１８は、例えばベリサイン（登録商標）のように、信頼された発行機関によって典型的に生成されるであろう。
【０００４】
記憶媒体４は、配布と個人による使用に適した物理デバイスとして構築されるかもしれないことが予想される。多様なこのようなデバイスは、例えば商人（ｍｅｒｃｈａｎｔ）によって使用されてもよい。記憶媒体４は、図１Ｂに示すように、データネットワーク２６を通る通信のための利用者の通信装置２４に接続するように構成してもよい。このようなパーソナライズされた記憶媒体４は、スマート・カード、ＵＳＢフラッシュ・ドライブ、あるいはメモリカード、これらに限定されないが、その中に一般的に使用される要素を形成することを含む、任意の適切な形成要素の中に製造されてもよい。Ｉ／Ｏインターフェース８は、例えばユニバーサルシリアルデータ（ＵＳＢ）あるいはミニＵＳＢ接続、ブルートゥース（登録商標）あるいは赤外線無線接続のような、任意の適切な通信リンクとして提供することができる。所望により他の接続技術が使用されてもよい。好ましくは、Ｉ／Ｏインターフェース８は、利用者が記憶媒体４を通信装置２４へまたは通信装置２４から簡単に信頼性高く接続し分離することができるように設計される。そして接続された場合、記憶媒体４と通信装置との間の情報の安全な移送を容易にする。この理由のために、無線インターフェース技術が使用される実施例では、必要電力を縮小し、かつセキュリティを増強するように、無線接続が非常に制限された距離（例えば約１０ｃｍ以下）にわたって動作することが望ましい。様々な既知の無線周波数の電磁気あるいは磁気結合技術はこの距離で無線接続を実装するために使用されてもよい。
【０００５】
コントローラ１０およびメモリ１２は、例えば、既知の加入者識別モジュール（ＳＩＭ）技術を使用した安全モジュール３０として構成してもよい。しかし、これは必須ではない。好ましくは、コントローラ１０とメモリ１２を破壊することなしに、コントローラ１０とメモリ１２が記憶媒体４から取り外すことができないように、記憶媒体４は形成される。コントローラ１０とメモリ１２の構成のためにＳＩＭ技術を使用することは有益であり、絶対に破壊されない（トークン全体の機能を破壊することなしに、これは利用者に不便であるが、安全を維持する）ように、また、秘密鍵１６を発見する、またはログ、通貨内容（Ｃｕｒ．Ｖａｌ）、または記憶媒体４の動作を改変するために記憶媒体４を「ハック」またはリバース・エンジニアリングをすることは実用的ではないように、ＩＤ１４と、秘密鍵１６と、証明書１８とが、記憶媒体４に永続的に保存されることを可能にする。その結果、システム２の各利用者は、任意の与えられた記憶媒体４の、ＩＤ１４と、秘密鍵１６と、証明書１８との間の関連付けは一意であり、不正に複製できないことを、信じるための十分な理由を持つ。
【０００６】
通信装置２４は、パーソナルコンピュータ（ＰＣ）、ノートブック型パーソナルコンピュータ、携帯情報端末（ＰＤＡ） 、携帯電話、スマートフォン、ポイント・オブ・セールス（ＰＯＳ）機器等を、これらに限定されないが含み、任意の適切な形態を取る。
【０００７】
図１Ａ、Ｂのシステムは、個別の人及び／または商人を含む、利用者間の資産価値量の安全で信頼性の高い移送を可能にする。したがって、例えば、図２は、ＰＯＳ端末２８が利用者Ａをオンライン購入ができるようにデータネットワーク２６に接続され、さらに、利用者Ｂを店舗内の購入が完了するように読み取り装置（ｒｅａｄｅｒ）３０に接続される、可能なシナリオを示す。ＰＯＳ端末２８はまた、商人によって所有された１つまたはそれ以上の記憶媒体４を受け入れるように設計されたマーチャントボックス３２に接続されてもよい。この配置により、利用者ＡとＢは、商人へ適切な資産価値量を移送するために、彼らのそれぞれの記憶媒体を使用して購入トランザクションを完了することができる。
【０００８】
しかしながら、このアプローチの限界は、商人のＰＯＳ端末２８を店舗内の購入を完了できるようにするために、商人は顧客の記憶媒体４と相互作用することができる読み取り装置３０を取得する必要があることである。いくつかのケースでは、商人はこの費用を負担したがらないかもしれない。
【０００９】
この制限に対処するための技術が望まれている。
【００１０】
＜関連出願の相互参照＞
本出願は、２０１２年３月１９日に出願された米国仮特許出願第６１／６１２７７０号に基づいて、その利益を主張し、同出願の内容全体は、本明細書に参照によりここに取り入れられる。
【発明の概要】
【課題を解決するための手段】
【００１１】
本発明の第１の面は、資産価値を安全に記憶し移送する第１と第２の記憶媒体を含む安全な資産記憶と移送システムにおいて、第１の記憶媒体から第２の記憶媒体へ資産価値を安全に交換する方法を提供する。第１の記憶媒体は、選択された資産価値量を移送するための価値移送メッセージを生成するために制御される。価値移送メッセージは、対応するバーコードを生成するためのバーコード符号化スキームを使用して符号化される。バーコードはディスプレイに表示され、ディスプレイから読み取られる。読み取られたバーコードは価値移送メッセージを回復するためにデコードされる。第２の記憶媒体はその後回復した価値移送メッセージを受信するために制御される。
【００１２】
本発明のさらなる面は、安全な資産記憶と移送システムを提供する。第１のディスプレイは、移送される資産価値量を含む要求メッセージを符号化する第１のバーコードを表示する。第１のカメラ付き装置は、第１のバーコードを読み取り、要求メッセージを回復するために第１のバーコードをデコードし、第１のカメラ付き装置と関連した記憶媒体から移送される資産価値量を移送するために価値移送メッセージを生成し、対応する第２のバーコードを生成するために価値移送メッセージを符号化し、第２のディスプレイに第２のバーコードを表示する。第２のカメラ付き装置は、第２のバーコードを読み取り、価値移送メッセージを回復するために第２のバーコードをデコードする。
【００１３】
本発明のさらなる特徴および利点は、添付の図面と組み合わせて、以下の詳細な説明から明らかになるであろう。
【００１４】
添付の図面を通じて、同じような特徴は同じ参照番号によって識別されることに留意されたい。
【図面の簡単な説明】
【００１５】
【図１Ａ】資産記憶及び移送システムを概略的に示すブロック図である。
【図１Ｂ】資産記憶及び移送システムを概略的に示すブロック図である。
【図２】商人のポイント・オブ・セールス（ＰＯＳ）端末を組み込む資産記憶と移送システムを概略的に示すブロック図である。
【図３】利用者の通信装置とＰＯＳ端末との間の無線接続を使用した、図２のシステムにおける代表的な支払トランザクションを示すフロー図である。
【図４】バーコードを使用した、図２のシステムにおける代表的な支払トランザクションを示すフロー図である。
【発明を実施するための形態】
【００１６】
当技術分野で知られているように、クイックレスポンス（ＱＲ）バーコードは、適切な走査装置により迅速かつ確実に走査し、読み取ることができる情報を符号化する手段を提供する。カメラ付きスマートフォンがこれらのコードを読み取ることが容易に可能であるため、近年、ＱＲバーコードは、印刷された広告媒体においてますます普及している。本発明はこの機能を活用し、無線通信リンクまたは特別目的の読み取り装置を必要とすることなく、価値移送メッセージの生成と移送を有効にする。
【００１７】
図３を参照すると、出願人のＰＣＴ特許公報番号ＷＯ２０１１／０３２２５７とＷＯ２０１１／０３２２７１とは、マーチャントシステム２８が商人の記憶媒体の識別子（ＩＤ）と移送される量（Ｖａｌ）を含む要求メッセージを（Ｓ２において）生成する、トランザクションのシナリオを示し、この要求メッセージを（例えば無線リンクを介して）顧客の通信装置及び／または記憶媒体４へ（Ｓ４において）送信する。顧客は、その場合、移送される資産価値（Ｖａｌ）と、商人の記憶媒体の識別子（ＩＤ）と、セキュリティ情報と、を含む、価値移送メッセージを生成するために、移送ＯＵＴプロセスを（Ｓ６において）実行するために、彼らの通信装置を使用することができる。そして顧客は、トランザクションを完了するために、商人の記憶媒体内に資産価値を保存するために、移送ＩＮプロセスを（Ｓ１０で）実行するマーチャントシステム２８へ価値移送メッセージを（Ｓ８で）転送するために、彼らの通信装置を使用する。本発明は、カメラ付き通信機器と、例えばＱＲバーコードや類似の視覚的に符号化された情報とを使用して、このシナリオを再現できるようにする。
【００１８】
図４は、その後任意の様々な形式で（Ｓ１４において）表示される、ＱＲバーコードを生成するために、上述のようにマーチャントシステム２８により（Ｓ２において）生成された要求メッセージは、（Ｓ１２において）符号化することのできる、代表的な実施形態を示す。いくつかの実施形態では、ＱＲバーコードがＰＯＳ端末のディスプレイモニタ上に表示されるが、これは必須ではない。好ましくは、顧客は、ＱＲバーコードを（Ｓ１６において）読み取り、それによって商人の記憶媒体の識別子を含む要求メッセージを取得するためにＱＲバーコードを（Ｓ１８において）デコードするために、カメラ付き通信装置を使用することができる。顧客は、移送される資産価値（Ｖａｌ）を含む価値移送メッセージ、商人の記憶媒体の識別子（ＩＤ）、およびセキュリティ情報を生成するために移送アウト処理を（Ｓ６において）実行するために、彼らの通信装置を使用してもよい。顧客の通信装置は、その後顧客の通信デバイスのディスプレイモニタ上に（Ｓ２２において）表示することができる、１つまたは複数のＱＲバーコードとしての価値移送メッセージを（Ｓ２０において）符号化することができる。商人は顧客の通信機器のディスプレイから直接ＱＲバーコードを（Ｓ２４において）読み取るために任意の適切なスキャナを使用することができる。ＱＲバーコードを（Ｓ２６において）デコードすることは価値移送メッセージの回復を可能にし、それによりマーチャントシステム２８は、トランザクションを完了するために、資産価値を商人の記憶媒体に保存するための移送イン処理を（Ｓ１０において）実行することができる。
【００１９】
いくつかのシナリオでは、ＰＯＳ端末２８から送信された要求メッセージは、顧客（利用者Ａ）によって彼らの通信装置２４に入力されなければならない、移送される資産価値量が含まれていない。これらのシナリオでは、ＰＯＳ端末２８によって生成された要求メッセージは、そのコンテンツが１つのトランザクションまたは顧客から次へ変更しない、という点で、効果的に包括的である。これらの状況では、商人は、広告、ポスターや顧客がアクセスできる他の看板上に、要求メッセージを符号化するＱＲバーコードを表示することを選択することができる。それにより、彼らは必要に応じて、要求メッセージを読み取りデコードするために、彼らの通信デバイスを使用することができる。顧客は、その後、図４を参照して説明したように商人のシステム２８に移送される、価値移送メッセージを生成するために移送アウト処理（ステップＳ６）を続いて実行することができる。
【００２０】
いくつかの実施形態では、ＱＲバーコードの符号化方式は、単一のＱＲバーコード画像内の価値移送メッセージの情報のすべてを符号化することができる。しかし、これは必須ではない。所望であれば、２つ以上のＱＲバーコード画像は、単一の価値移送メッセージの情報内容を伝達するために使用することができる。この場合、それぞれが単一のＱＲバーコード画像内で符号化するのに適した大きさを有するブロックに、価値移送メッセージの内容を分割するために、さまざまな手段が使用することができる。例えば、２５６バイトの長さの価値移送メッセージは、６４バイト毎の４つのブロックに分割してもよい。各ブロックは、その後、それぞれのＱＲバーコード画像を生成するために符号化されてもよい。価値移送メッセージを回復するために（例えば、商人のシステム２８において）、全てのＱＲバーコード画像は読み出されてデコードされ、得られたデコードされたブロックは、元の価値移送メッセージを再構成するために組み合わされる必要がある。いくつかの実施形態においては、価値移送メッセージの再組み立ては、価値移送メッセージ内のそのブロックの位置を示すそれぞれの識別子と共に、各ブロックを符号化することによって促進される。復号動作中、各ブロックのそれぞれの識別子は、再結合された価値移送メッセージ内で正しい順序にブロックが配置されることを保証するために使用することができる。
【００２１】
当然のことながら、上述の方法はまた、例えば２つの個別の利用者間の資産価値移送のために、他のシナリオで使用することができる。図４を参照して上述したシナリオでは、商人のＰＯＳ端末２８と利用者の通信装置２４とは、要求と価値移送メッセージを送信し受信するためにＱＲバーコードを使用することができる。しかしながら、本発明は、このような装置に限定されないことが理解されるであろう。より一般的には、上述の方法はまた、バーコードを読み取ることが可能な、任意の多種多様のカメラ付き通信装置の間で資産価値量を交換するために使用することができる。価値移送メッセージを生成し送信する通信装置だけは、別のデバイスによって読み取ることができるように、バーコードとしてその価値移送メッセージを符号化し、ディスプレイ画面上にバーコードを表示することが可能でなければならない。
【００２２】
上述の説明は、ＱＲバーコードの使用に焦点を当てている。これらは当技術分野で周知であり、便利なソリューションを提供しているからである。しかし、カメラ付き通信装置を使用して表示し、読み取ることができる画像に情報を符号化する任意のスキームが使用されてもよい。多数の符号化方式は知られており、またはこの目的に役立つであろう将来に開発され、本出願の意図する範囲から逸脱することなく使用することができることが検討される。
【００２３】
上記の説明は、利用者のカメラ付き通信装置２４ａによって読み取ることができるように、商人ＰＯＳ端末２８のディスプレイが、ＰＯＳ端末２８の表示画面上に、要求メッセージを符号化する第１のバーコードを表示するシナリオを説明する。この場合、 ＰＯＳ端末２８の表示画面は、電子表示スクリーンである。しかし、これは必須ではないことが理解されるであろう。例えば、要求メッセージを符号化するバーコードは、利用者のカメラ付き通信装置２４ａによって読み取ることができるような、標識またはラベル（または任意の他の適切な媒体）のような静的なディスプレイ上に表示することができる。
【００２４】
上述した本発明の実施形態は、単なる例示であることが意図される。したがって、本発明の範囲は、添付の特許請求の範囲によってのみ限定されるものである。
【符号の説明】
【００２５】
２  資産記憶と移送システム
４、４ａ、４ｂ、４ｍ  記憶媒体
６  通信媒体
８  入出力インターフェース
１０  コントローラ
１２  メモリ
１４  識別子
１６  秘密鍵
１８  証明書
２０  ログ
２２  通貨価値（Ｃｕｒ．Ｖａｌ）
２４ａ、２４ｂ  通信装置
２６  データネットワーク
２８  ＰＯＳ端末
３０  読み取り装置
３２  マーチャントボックス
【図１Ａ】
2015514249.tif 000003
【図１Ｂ】
2015514249.tif 000004
【図２】
2015514249.tif 000005
【図３】
2015514249.tif 000006
【図４】
2015514249.tif 000007
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
資産価値を安全に記憶し移送する第１と第２の記憶媒体を含む安全な資産記憶と移送システムにおいて、前記第１の記憶媒体から前記第２の記憶媒体へ資産価値を安全に交換することを可能にする方法であって、
第１の記憶媒体を制御して、選択された資産価値の額を移送するための価値移送メッセージを生成することと、
バーコード符号化スキームを使用して前記価値移送メッセージを符号化し、対応するバーコードを生成することと、
ディスプレイに前記バーコードを表示することと、
前記ディスプレイから前記バーコードを読み取ることと、
前記価値移送メッセージを回復するために前記読み取れたバーコードをデコードすることと、
前記第２の記憶媒体を制御して前記回復した価値移送メッセージを受信することと、  を含む、方法。
【請求項２】
前記バーコードはクイックレスポンス（ＱＲ）バーコードである、請求項１に記載の方法。
【請求項３】
移送されるべき資産価値の額を含む要求メッセージを生成することと、
バーコード符号化スキームを使用して前記要求メッセージを符号化して対応する要求バーコードを生成することと、
前記バーコードがカメラ付き装置によって読み取ることができるように前記要求バーコードを表示することと、
をさらに含む、請求項１に記載の方法。
【請求項４】
前記要求バーコードを表示することは、前記要求バーコードを電子ディスプレイ・スクリーン上に表示することを含む、請求項３に記載の方法。
【請求項５】
前記要求バーコードを表示することは、前記要求バーコードを静的なディスプレイ上に表示することを含む、請求項３に記載の方法。
【請求項６】
移送されるべき資産価値の額を含む要求メッセージを符号化する第１のバーコードを表示する第１のディスプレイと、
第１のカメラ付き装置であって、
前記第１のバーコードを読み取り、
前記要求メッセージを回復するために前記第１のバーコードをデコードし、
前記第１のカメラ付き装置と関連した記憶媒体から移送されるべき資産価値の額を移送するための価値移送メッセージを生成し、
前記価値移送メッセージを符号化して対応する第２のバーコードを生成し、
第２のディスプレイに前記第２のバーコードを表示する、
前記第１のカメラ付き装置と、
第２のカメラ付き装置であって、
前記第２のバーコードを読み取り、
前記価値移送メッセージを回復するために前記第２のバーコードをデコードする、前記第２のカメラ付き装置と、
を備える、システム。
【請求項７】
前記第１のバーコードはクイックレスポンス（ＱＲ）バーコードである、請求項６に記載のシステム。
【請求項８】
前記第１のディスプレイは、静的なディスプレイ及び電子ディスプレイ・スクリーンの１つ以上である、請求項６に記載のシステム。
【請求項９】
前記第２のカメラ付き装置は、前記第１のディスプレイを備える、請求項６に記載のシステム。
【請求項１０】
前記第１のディスプレイは、前記第２のディスプレイから遠い、
請求項６に記載のシステム。
【請求項１１】
前記第１のディスプレイは、モバイル装置である、請求項６に記載のシステム。
【請求項１２】
前記第２のディスプレイは、モバイル装置である、請求項６に記載のシステム。
【請求項１３】
前記第２のカメラ付き装置は、ポイント・オブ・セールス（ＰＯＳ端末）である、  請求項６に記載のシステム。
【国際調査報告】
2015514249.tif 000008
2015514249.tif 000009